(57)【要約】【課題】簡単な構成で、かつ確実に、測定管内の汚れを確認できるようにする。【解決手段】測定管１の外周面上の計測用電極２−１の近傍に汚れ検知用電極５−１を設け、測定管１の外周面上の計測用電極２−２の近傍に汚れ検知用電極５−２を設ける。汚れ検知用電極５−１と汚れ検知用電極５−２との間の静電容量Ｃ１を検出し、この検出された静電容量Ｃ１の初期値Ｃ１0からの変化量ΔＣ１を汚れ状態の評価指標とする。この評価指標ΔＣ１を閾値ΔＣ１ｔｈと比較することによって測定管１内に付着している汚れ４の状態を判定する。【選択図】  図１
2018163046.tif 000002
【特許請求の範囲】
【請求項１】
測定管内を流れる流体の流れ方向に対して直交する方向に磁界を作るように構成された励磁コイルと、この励磁コイルが作る磁界と直交する方向に対向して前記測定管の内周面に設けられた第１の計測用電極および第２の計測用電極とを備え、前記励磁コイルが作る磁界により前記測定管内を流れる流体に発生する起電力を前記第１の計測用電極および前記第２の計測用電極より取り出すように構成された電磁流量計において、
前記測定管の外周面上の前記第１の計測用電極の近傍に設けられた第１の汚れ検知用電極と、
前記測定管の外周面上の前記第２の計測用電極の近傍に前記第１の汚れ検知用電極と対向して設けられた第２の汚れ検知用電極と、
前記第１の汚れ検知用電極と前記第２の汚れ検知用電極との間の静電容量を検出するように構成された静電容量検出部と、
前記静電容量検出部によって検出された静電容量に基づいて前記測定管内に付着している汚れの状態を評価するように構成された汚れ状態評価部と
を備えることを特徴とする電磁流量計。
【請求項２】
請求項１に記載された電磁流量計において、
前記第１の汚れ検知用電極および前記第２の汚れ検知用電極は、それぞれ、
前記第１の計測用電極および前記第２の計測用電極の上流側に設けられている
ことを特徴とする電磁流量計。
【請求項３】
請求項１に記載された電磁流量計において、
前記第１の汚れ検知用電極および前記第２の汚れ検知用電極は、それぞれ、
前記第１の計測用電極および前記第２の計測用電極の下流側に設けられている
ことを特徴とする電磁流量計。
【請求項４】
請求項１に記載された電磁流量計において、
さらに、
前記測定管の外周面上の前記第１の計測用電極の近傍に設けられた第３の汚れ検知用電極と、
前記測定管の外周面上の前記第２の計測用電極の近傍に前記第３の汚れ検知用電極と対向して設けられた第４の汚れ検知用電極とを備え、
前記第１の汚れ検知用電極および前記第２の汚れ検知用電極は、それぞれ、
前記第１の計測用電極および前記第２の計測用電極の上流側に設けられ、
前記第３の汚れ検知用電極および前記第４の汚れ検知用電極は、それぞれ、
前記第１の計測用電極および前記第２の計測用電極の下流側に設けられ、
前記汚れ状態評価部は、
前記第１の汚れ検知用電極と前記第２の汚れ検知用電極との間の静電容量および前記第３の汚れ検知用電極と前記第４の汚れ検知用電極との間の静電容量に基づいて前記測定管内に付着している汚れの状態を評価するように構成されている
ことを特徴とする電磁流量計。
【請求項５】
請求項１に記載された電磁流量計において、
前記第１の汚れ検知用電極は、
前記第１の計測用電極の周囲を取り囲むリング状の電極とされ、
前記第２の汚れ検知用電極は、
前記第２の計測用電極の周囲を取り囲むリング状の電極とされている
ことを特徴とする電磁流量計。
【請求項６】
請求項１に記載された電磁流量計において、
前記汚れ状態評価部は、
前記第１の汚れ検知用電極と前記第２の汚れ検知用電極との間の静電容量の初期状態からの変化に基づいて前記測定管内に付着している汚れの状態の評価指標を求めるように構成されている
ことを特徴とする電磁流量計。
【請求項７】
請求項６に記載された電磁流量計において、
さらに、
前記汚れ状態評価部によって求められた評価指標が予め定められている閾値を超えた場合に警報を出力するように構成された汚れ状態判定部を
備えることを特徴とする電磁流量計。
【発明の詳細な説明】
【技術分野】
【０００１】
この発明は、測定管の内周面に信号電極を備えた電磁流量計に関するものである。
【背景技術】
【０００２】
従来より、この種の電磁流量計は、測定管内を流れる流体（導電性の計測流体）の流れ方向に対して直交する方向に磁界を作る励磁コイルと、この励磁コイルが作る磁界と直交する方向に対向して測定管の内周面に設けられた一対の信号電極とを有し、励磁コイルが作る磁界によりファラデーの法則にしたがって測定管内を流れる流体に発生する起電力（流体の流速に比例して発生する起電力）を一対の信号電極より取り出し、この取り出した起電力に基づいて測定管内を流れる流体の流量を計測するようにしている（例えば、特許文献１参照）。
【０００３】
図９に従来の電磁流量計２００の要部を示す。同図において、１は測定管であり、２，２は測定管１の内周面に対向して設けられた一対の信号電極である。以下、一方の信号電極２（２−１）を第１の計測用電極と呼び、他方の信号電極２（２−２）を第２の計測用電極と呼ぶ。
【０００４】
なお、図９に概略的に一点鎖線で示すように、測定管１内を流れる流体の流れ方向に対して直交する方向に磁界を作る励磁コイル３が設けられており、この励磁コイル３が作る磁界と直交する方向に、測定管１内を流れる流体に接液するように、第１の計測用電極２−１と第２の計測用電極２−２とが対向して設けられている。
【０００５】
このような電磁流量計２００では、使用中に計測用電極２−１，２−２の接液部に汚れが付着して行き、汚れの付着度合いに従って計測される流量値の精度が悪化して行く。このため、付着した汚れを落とすメンテナンス時期を知ることが重要となる。なお、図９では、測定管１の内周面に付着した汚れを符号４で示している。
【０００６】
そこで、従来より、電磁流量計の測定管内の汚れをモニタする技術が報告されている。例えば、特許文献２には、測定管に光学窓を設け、この光学窓の外側に発光受光素子を配置し、測定管内を通して光を送受光するようにした構成が示されている。この構成によれば、汚れにより受光感度が落ちることから、間接的に汚れを検知することができる。
【先行技術文献】
【特許文献】
【０００７】
【特許文献１】特開平４−３１９６２２号公報
【特許文献２】特開２００６−３１３１１３号公報
【発明の概要】
【発明が解決しようとする課題】
【０００８】
しかしながら、特許文献２に示された構成では、測定管に光学窓を設けなければならない。また、光学窓から被計測流体が漏れないような対策を施さなければならない。また、配管内の洗浄用に燻蒸や洗剤などを使った場合には、測定管に設けられた光学窓が劣化し、それにより汚れを確認することが困難になる。
【０００９】
本発明は、このような課題を解決するためになされたもので、その目的とするところは、簡単な構成で、かつ確実に、測定管内の汚れを確認することが可能な電磁流量計を提供することにある。
【課題を解決するための手段】
【００１０】
このような目的を達成するために本発明は、測定管（１）内を流れる流体の流れ方向に対して直交する方向に磁界を作るように構成された励磁コイル（３）と、この励磁コイルが作る磁界と直交する方向に対向して測定管の内周面に設けられた第１の計測用電極（２−１）および第２の計測用電極（２−２）とを備え、励磁コイルが作る磁界により測定管内を流れる流体に発生する起電力を第１の計測用電極および第２の計測用電極より取り出すように構成された電磁流量計（１００）において、測定管の外周面上の第１の計測用電極の近傍に設けられた第１の汚れ検知用電極（５−１）と、測定管の外周面上の第２の計測用電極の近傍に第１の汚れ検知用電極と対向して設けられた第２の汚れ検知用電極（５−２）と、第１の汚れ検知用電極と第２の汚れ検知用電極との間の静電容量を検出するように構成された静電容量検出部（６−１）と、静電容量検出部によって検出された静電容量に基づいて測定管内に付着している汚れの状態を評価するように構成された汚れ状態評価部（６−２）とを備えることを特徴とする。
【００１１】
この発明では、測定管の外周面上の第１の計測用電極の近傍に第１の汚れ検知用電極を設け、測定管の外周面上の第２の計測用電極の近傍に第２の汚れ検知用電極を設け、第１の汚れ検知用電極と第２の汚れ検知用電極との間の静電容量を検出し、この検出した静電容量に基づいて測定管内に付着している汚れの状態を評価する。例えば、第１の汚れ検知用電極と第２の汚れ検知用電極との間の静電容量の初期状態からの変化に基づいて、測定管内に付着している汚れの状態の評価指標を求めるようにする。
【００１２】
なお、上記説明では、一例として、発明の構成要素に対応する図面上の構成要素を、括弧を付した参照符号によって示している。
【発明の効果】
【００１３】
以上説明したことにより、本発明によれば、測定管の外周面上の第１の計測用電極の近傍に第１の汚れ検知用電極を設け、測定管の外周面上の第２の計測用電極の近傍に第１の汚れ検知用電極と対向して第２の汚れ検知用電極を設け、この第１の汚れ検知用電極と第２の汚れ検知用電極との間の静電容量に基づいて測定管内に付着している汚れの状態を評価するようにしたので、測定管に光学窓を設ける必要がなく、簡単な構成で、かつ確実に、測定管内の汚れを確認することが可能となる。
【図面の簡単な説明】
【００１４】
【図１】図１は、本発明の実施の形態１に係る電磁流量計の要部を示す図である。
【図２】図２は、本発明の実施の形態２に係る電磁流量計の要部を示す図である。
【図３】図３は、本発明の実施の形態３に係る電磁流量計の要部を示す図である。
【図４】図４は、本発明の実施の形態４に係る電磁流量計の要部を示す図である。
【図５Ａ】図５Ａは、図１において測定管を上面から見た図である。
【図５Ｂ】図５Ｂは、図１において測定管を下面から見た図である。
【図６Ａ】図６Ａは、図２において測定管を上面から見た図である。
【図６Ｂ】図６Ｂは、図２において測定管を下面から見た図である。
【図７Ａ】図７Ａは、図３において測定管を上面から見た図である。
【図７Ｂ】図７Ｂは、図３において測定管を下面から見た図である。
【図８Ａ】図８Ａは、図４において測定管を上面から見た図である。
【図８Ｂ】図８Ｂは、図４において測定管を下面から見た図である。
【図９】図９は、従来の電磁流量計の要部を示す図である。
【発明を実施するための形態】
【００１５】
以下、本発明の実施の形態を図面に基づいて詳細に説明する。
【００１６】
〔実施の形態１〕
図１は本発明の実施の形態１に係る電磁流量計１００（１００Ａ）の要部を示す図である。なお、この電磁流量計１００Ａにおいても、図９に示した電磁流量計２００と同様、測定管１内を流れる流体の流れ方向に対して直交する方向に磁界を作る励磁コイル３が設けられており、この励磁コイル３が作る磁界と直交する方向に、測定管１内を流れる流体に接液するように、第１の計測用電極２−１と第２の計測用電極２−２とが対向して設けられており、励磁コイル３が作る磁界により測定管１内を流れる流体に発生する起電力を第１の計測用電極２−１および第２の計測用電極２−２より取り出すように構成されている。後述する他の実施の形態でも同様である。
【００１７】
この電磁流量計１００Ａでは、測定管１の外周面上の第１の計測用電極２−１の近傍の上流側に第１の汚れ検知用電極５（５−１）を設け、測定管１の外周面上の第２の計測用電極２−２の近傍の上流側に第２の汚れ検知用電極５（５−２）を設けている。
【００１８】
図５Ａに測定管１を上面から見た図を示し、図５Ｂに測定管１を下面から見た図を示す。この図から分かるように、汚れ検知用電極５−１，５−２は平面視円形とされており、測定管１を挾んで対向するように設けられている。
【００１９】
また、この電磁流量計１００Ａには、測定管１内の汚れをモニタする汚れモニタ装置６が設けられている。この汚れモニタ装置６は、プロセッサや記憶装置からなるハードウェアと、これらのハードウェアと協働して各種機能を実現させるプログラムとによって実現され、静電容量検出部６−１と、汚れ状態評価部６−２と、汚れ状態判定部６−３と、静電容量初期値記憶部６−４と、閾値記憶部６−５とを備えている。
【００２０】
この汚れモニタ装置６において、静電容量検出部６−１は、第１の汚れ検知用電極５−１と第２の汚れ検知用電極５−２との間の静電容量Ｃ１を検出し、汚れ状態評価部６−２へ送る。静電容量初期値記憶部６−４には、測定管１の設置直後の第１の汚れ検知用電極５−１と第２の汚れ検知用電極５−２との間の静電容量Ｃ１が初期値（初期状態の静電容量)Ｃ１0として記憶されている。
【００２１】
汚れ状態評価部６−２は、定期的に、静電容量検出部６−１からの第１の汚れ検知用電極５−１と第２の汚れ検知用電極５−２との間の静電容量Ｃ１を取り込み、この静電容量Ｃ１と静電容量初期値記憶部６−４に記憶されている初期値Ｃ１0との差、すなわち静電容量Ｃ１の初期値Ｃ１0からの変化量ΔＣ１（ΔＣ１＝Ｃ１−Ｃ１0）を汚れ状態の評価指標として求める。
【００２２】
汚れ状態評価部６−２で求められた汚れ状態の評価指標ΔＣ１は汚れ状態判定部６−３へ送られる。閾値記憶部６−５には、汚れ状態の評価指標ΔＣ１に対する判定基準として閾値ΔＣ１ｔｈが記憶されている。
【００２３】
汚れ状態判定部６−３は、汚れ状態評価部６−２からの汚れ状態の評価指標ΔＣ１を入力とし、この汚れ状態の評価指標ΔＣ１と閾値記憶部６−５に記憶されている閾値ΔＣ１ｔｈとを比較し、汚れ状態の評価指標ΔＣ１が閾値ΔＣ１ｔｈを超えた場合に警報を出力する。
【００２４】
この電磁流量計１００Ａにおいて、第１の汚れ検知用電極５−１と第２の汚れ検知用電極５−２との間の静電容量Ｃ１は、時間の経過と共に、汚れ４が測定管１の内周面に付着することで変化して行く。
【００２５】
汚れ状態評価部６−２では、この第１の汚れ検知用電極５−１と第２の汚れ検知用電極５−２との間の静電容量Ｃ１の初期値Ｃ１0からの変化量が評価指標ΔＣ１として定期的に求められる。そして、この評価指標ΔＣ１が閾値ΔＣ１ｔｈを超えた時点で、汚れ状態判定部６−３が警報を出力する。この警報によって、管理者は、測定管１の内周面に付着した汚れ４を落とすメンテナンス時期を知ることができる。
【００２６】
なお、メンテナンス時に測定管１の内周面に付着した汚れ４を落とした場合には、その時の第１の汚れ検知用電極５−１と第２の汚れ検知用電極５−２との間の静電容量Ｃ１を新たな初期状態の静電容量とし、静電容量初期値記憶部６−４内の初期値Ｃ１0を更新する。
【００２７】
〔実施の形態２〕
図２は本発明の実施の形態２に係る電磁流量計１００（１００Ｂ）の要部を示す図である。
【００２８】
この電磁流量計１００Ｂでは、測定管１の外周面上の第１の計測用電極２−１の近傍の下流側に第１の汚れ検知用電極５（５−１）を設け、測定管１の外周面上の第２の計測用電極２−２の近傍の下流側に第２の汚れ検知用電極５（５−２）を設けている。
【００２９】
図６Ａに測定管１を上面から見た図を示し、図６Ｂに測定管１を下面から見た図を示す。この図から分かるように、汚れ検知用電極５−１，５−２は平面視円形とされており、測定管１を挾んで対向するように設けられている。
【００３０】
この電磁流量計１００Ｂには、測定管１内の汚れをモニタする汚れモニタ装置７が設けられている。この汚れモニタ装置７は、プロセッサや記憶装置からなるハードウェアと、これらのハードウェアと協働して各種機能を実現させるプログラムとによって実現され、静電容量検出部７−１と、汚れ状態評価部７−２と、汚れ状態判定部７−３と、静電容量初期値記憶部７−４と、閾値記憶部７−５とを備えている。
【００３１】
この汚れモニタ装置７において、静電容量検出部７−１は、第１の汚れ検知用電極５−１と第２の汚れ検知用電極５−２との間の静電容量Ｃ２を検出し、汚れ状態評価部７−２へ送る。静電容量初期値記憶部７−４には、測定管１の設置直後の第１の汚れ検知用電極５−１と第２の汚れ検知用電極５−２との間の静電容量が初期値(初期状態の静電容量)Ｃ２0として記憶されている。
【００３２】
汚れ状態評価部７−２は、定期的に、静電容量検出部７−１からの第１の汚れ検知用電極５−１と第２の汚れ検知用電極５−２との間の静電容量Ｃ２を取り込み、この静電容量Ｃ２と静電容量初期値記憶部７−４に記憶されている初期値Ｃ２0との差、すなわち静電容量Ｃ１の初期値Ｃ２0からの変化量ΔＣ２（ΔＣ２＝Ｃ２−Ｃ２0）を汚れ状態の評価指標として求める。
【００３３】
汚れ状態評価部７−２で求められた汚れ状態の評価指標ΔＣ２は汚れ状態判定部７−３へ送られる。閾値記憶部７−５には、汚れ状態の評価指標ΔＣ２に対する判定基準として閾値ΔＣ２ｔｈが記憶されている。
【００３４】
汚れ状態判定部７−３は、汚れ状態評価部７−２からの汚れ状態の評価指標ΔＣ２を入力とし、この汚れ状態の評価指標ΔＣ２と閾値記憶部７−５に記憶されている閾値ΔＣ２ｔｈとを比較し、汚れ状態の評価指標ΔＣ２が閾値ΔＣ２ｔｈを超えた場合に警報を出力する。
【００３５】
この電磁流量計１００Ｂにおいて、第１の汚れ検知用電極５−１と第２の汚れ検知用電極５−２との間の静電容量Ｃ２は、時間の経過と共に、汚れ４が測定管１の内周面に付着することで変化して行く。
【００３６】
汚れ状態評価部７−２では、この第１の汚れ検知用電極５−１と第２の汚れ検知用電極５−２との間の静電容量Ｃ２の初期値Ｃ２0からの変化量が評価指標ΔＣ２として定期的に求められる。そして、この評価指標ΔＣ２が閾値ΔＣ２ｔｈを超えた時点で、汚れ状態判定部７−３が警報を出力する。この警報によって、管理者は、測定管１の内周面に付着した汚れ４を落とすメンテナンス時期を知ることができる。
【００３７】
なお、メンテナンス時に測定管１の内周面に付着した汚れ４を落とした場合には、その時の第１の汚れ検知用電極５−１と第２の汚れ検知用電極５−２との間の静電容量Ｃ２を新たな初期状態の静電容量とし、静電容量初期値記憶部７−４内の初期値Ｃ２0を更新する。
【００３８】
〔実施の形態３〕
図３は本発明の実施の形態３に係る電磁流量計１００（１００Ｃ）の要部を示す図である。
【００３９】
この電磁流量計１００Ｃでは、測定管１の外周面上の第１の計測用電極２−１の近傍の上流側に第１の汚れ検知用電極５（５−１）を設け、測定管１の外周面上の第２の計測用電極２−２の近傍の上流側に第２の汚れ検知用電極５（５−２）を設けている。また、測定管１の外周面上の第１の計測用電極２−１の近傍の下流側に第３の汚れ検知用電極５（５−３）を設け、測定管１の外周面上の第２の計測用電極２−２の近傍の下流側に第４の汚れ検知用電極５（５−４）を設けている。
【００４０】
図７Ａに測定管１を上面から見た図を示し、図７Ｂに測定管１を下面から見た図を示す。この図から分かるように、汚れ検知用電極５−１，５−２は平面視円形とされており、測定管１を挾んで対向するように設けられている。また、汚れ検知用電極５−３，５−４も平面視円形とされており、測定管１を挾んで対向するように設けられている。
【００４１】
また、この電磁流量計１００Ｃには、測定管１内の汚れをモニタする汚れモニタ装置８が設けられている。この汚れモニタ装置８は、プロセッサや記憶装置からなるハードウェアと、これらのハードウェアと協働して各種機能を実現させるプログラムとによって実現され、上流側の静電容量検出部８−１と、下流側の静電容量検出部８−２と、汚れ状態評価部８−３と、汚れ状態判定部８−４と、閾値記憶部８−５とを備えている。
【００４２】
また、汚れ状態評価部８−３は、上流側の汚れ状態評価指標算出部８−３１と、下流側の汚れ状態評価指標算出部８−３２と、上下流間の汚れ状態評価指標算出部８−３３と、上流側の静電容量初期値記憶部８−３４と、下流側の静電容量初期値記憶部８−３５とを備えている。
【００４３】
この汚れモニタ装置８において、上流側の静電容量検出部８−１は、第１の汚れ検知用電極５−１と第２の汚れ検知用電極５−２との間の静電容量Ｃ１を検出し、上流側の汚れ状態評価指標算出部８−３１へ送る。上流側の静電容量初期値記憶部８−３４には、測定管１の設置直後の第１の汚れ検知用電極５−１と第２の汚れ検知用電極５−２との間の静電容量が初期値(初期状態の静電容量)Ｃ１0として記憶されている。
【００４４】
上流側の汚れ状態評価指標算出部８−３１は、定期的に、上流側の静電容量検出部８−１からの第１の汚れ検知用電極５−１と第２の汚れ検知用電極５−２との間の静電容量Ｃ１を取り込み、この静電容量Ｃ１と上流側の静電容量初期値記憶部８−３４に記憶されている初期値Ｃ１0との差、すなわち静電容量Ｃ１の初期値Ｃ１0からの変化量ΔＣ１（ΔＣ１＝Ｃ１−Ｃ１0）を上流側の汚れ状態の評価指標として求め、上下流間の汚れ状態評価指標算出部８−３３へ送る。
【００４５】
一方、下流側の静電容量検出部８−２は、第３の汚れ検知用電極５−３と第４の汚れ検知用電極５−４との間の静電容量Ｃ２を検出し、下流側の汚れ状態評価指標算出部８−３２へ送る。下流側の静電容量初期値記憶部８−３５には、測定管１の設置直後の第３の汚れ検知用電極５−３と第４の汚れ検知用電極５−４との間の静電容量が初期値(初期状態の静電容量)Ｃ２0として記憶されている。
【００４６】
下流側の汚れ状態評価指標算出部８−３２は、定期的（上流側の汚れ状態評価指標算出部８−３１と同じタイミング）に、下流側の静電容量検出部８−２からの第３の汚れ検知用電極５−３と第４の汚れ検知用電極５−４との間の静電容量Ｃ２を取り込み、この静電容量Ｃ２と下流側の静電容量初期値記憶部８−３５に記憶されている初期値Ｃ２0との差、すなわち静電容量Ｃ２の初期値Ｃ２0からの変化量ΔＣ２（ΔＣ２＝Ｃ２−Ｃ２0）を下流側の汚れ状態の評価指標として求め、上下流間の汚れ状態評価指標算出部８−３３へ送る。
【００４７】
上下流間の汚れ状態評価指標算出部８−３３は、上流側の汚れ状態評価指標算出部８−３１からの上流側の汚れ状態の評価指標ΔＣ１と、下流側の汚れ状態評価指標算出部８−３２からの下流側の汚れ状態の評価指標ΔＣ２とを入力とし、上流側の汚れ状態の評価指標ΔＣ１と下流側の汚れ状態の評価指標ΔＣ２との平均値を上下流間の汚れ状態の評価指標ΔＣａｖ（ΔＣａｖ＝（ΔＣ１＋ΔＣ２）／２）として求める。
【００４８】
この上下流間の汚れ状態評価指標算出部８−３３で求められた上下流間の汚れ状態の評価指標ΔＣａｖは、汚れ状態評価部８−３で求められた評価指標ΔＣａｖとして汚れ状態判定部８−４へ送られる。閾値記憶部８−５には、汚れ状態の評価指標ΔＣａｖに対する判定基準として閾値ΔＣａｖｔｈが記憶されている。
【００４９】
汚れ状態判定部８−４は、汚れ状態評価部８−３からの汚れ状態の評価指標ΔＣａｖを入力とし、この汚れ状態の評価指標ΔＣａｖと閾値記憶部８−５に記憶されている閾値ΔＣａｖｔｈとを比較し、汚れ状態の評価指標ΔＣａｖが閾値ΔＣａｖｔｈを超えた場合に警報を出力する。
【００５０】
この電磁流量計１００Ｃにおいて、第１の汚れ検知用電極５−１と第２の汚れ検知用電極５−２との間の静電容量Ｃ１および第３の汚れ検知用電極５−３と第４の汚れ検知用電極５−４との間の静電容量Ｃ２は、時間の経過と共に、汚れ４が測定管１の内周面に付着することで変化して行く。
【００５１】
汚れ状態評価部８−３では、この第１の汚れ検知用電極５−１と第２の汚れ検知用電極５−２との間の静電容量Ｃ１の初期値Ｃ１0からの変化量ΔＣ１と、第３の汚れ検知用電極５−３と第４の汚れ検知用電極５−４との間の静電容量Ｃ２の初期値Ｃ２0からの変化量ΔＣ２との平均値が評価指標ΔＣａｖとして求められる。そして、この汚れ状態の評価指標ΔＣａｖが閾値ΔＣａｖｔｈを超えた時点で、汚れ状態判定部８−４が警報を出力する。この警報によって、管理者は、測定管１の内周面に付着した汚れを落とすメンテナンス時期を知ることができる。
【００５２】
なお、メンテナンス時に測定管１の内周面に付着した汚れ４を落とした場合には、その時の第１の汚れ検知用電極５−１と第２の汚れ検知用電極５−２との間の静電容量Ｃ１を新たな初期状態の静電容量とし、また、第３の汚れ検知用電極５−２と第４の汚れ検知用電極５−３との間の静電容量Ｃ２を新たな初期状態の静電容量とし、上流側の静電容量初期値記憶部８−３４内の初期値Ｃ１0および下流側の静電容量初期値記憶部８−３５内の初期値Ｃ２0を更新する。
【００５３】
〔実施の形態４〕
図４は本発明の実施の形態４に係る電磁流量計１００（１００Ｄ）の要部を示す図である。
【００５４】
この電磁流量計１００Ｄでは、測定管１の外周面上の第１の計測用電極２−１の周囲を取り囲むようにして第１の汚れ検知用電極９（９−１）を設け、測定管１の外周面上の第２の計測用電極２−２の周囲を取り囲むようにして第２の汚れ検知用電極９−２を設けている。
【００５５】
図８Ａに測定管１を上面から見た図を示し、図８Ｂに測定管１を下面から見た図を示す。この図から分かるように、汚れ検知用電極９−１，９−２は計測用電極２−１，２−１の周囲を囲むリング状の電極とされており、測定管１を挾んで対向するように設けられている。
【００５６】
また、この電磁流量計１００Ｄには、測定管１内の汚れをモニタする汚れモニタ装置１０が設けられている。この汚れモニタ装置１０は、プロセッサや記憶装置からなるハードウェアと、これらのハードウェアと協働して各種機能を実現させるプログラムとによって実現され、静電容量検出部１０−１と、汚れ状態評価部１０−２と、汚れ状態判定部１０−３と、静電容量初期値記憶部１０−４と、閾値記憶部１０−５とを備えている。
【００５７】
汚れモニタ装置１０において、静電容量検出部１０−１は、第１の汚れ検知用電極９−１と第２の汚れ検知用電極９−２との間の静電容量Ｃ１を検出し、汚れ状態評価部１０−２へ送る。静電容量初期値記憶部１０−４には、測定管１の設置直後の第１の汚れ検知用電極９−１と第２の汚れ検知用電極９−２との間の静電容量が初期値(初期状態の静電容量)Ｃ１0として記憶されている。
【００５８】
汚れ状態評価部１０−２は、定期的に、静電容量検出部１０−１からの第１の汚れ検知用電極９−１と第２の汚れ検知用電極９−２との間の静電容量Ｃ１を取り込み、この静電容量Ｃ１と静電容量初期値記憶部１０−４に記憶されている初期値Ｃ１0との差、すなわち静電容量Ｃ１の初期値Ｃ１0からの変化量ΔＣ１（ΔＣ１＝Ｃ１−Ｃ１0）を汚れ状態の評価指標として求める。
【００５９】
汚れ状態評価部１０−２で求められた汚れ状態の評価指標ΔＣ１は汚れ状態判定部１０−３へ送られる。閾値記憶部１０−５には、汚れ状態の評価指標ΔＣ１に対する判定基準として閾値ΔＣ１ｔｈが記憶されている。
【００６０】
汚れ状態判定部１０−３は、汚れ状態評価部１０−２からの汚れ状態の評価指標ΔＣ１を入力とし、この汚れ状態の評価指標ΔＣ１と閾値記憶部１０−５に記憶されている閾値ΔＣ１ｔｈとを比較し、汚れ状態の評価指標ΔＣ１が閾値ΔＣ１ｔｈを超えた場合に警報を出力する。
【００６１】
この電磁流量計１００Ｄにおいて、第１の汚れ検知用電極９−１と第２の汚れ検知用電極９−２との間の静電容量Ｃ１は、時間の経過と共に、汚れ４が測定管１の内周面に付着することで変化して行く。
【００６２】
汚れ状態評価部１０−２では、この第１の汚れ検知用電極９−１と第２の汚れ検知用電極９−２との間の静電容量Ｃ１の初期値Ｃ１0からの変化量が評価指標ΔＣ１として求められる。そして、この評価指標ΔＣ１が閾値ΔＣ１ｔｈを超えた時点で、汚れ状態判定部１０−３が警報を出力する。この警報によって、管理者は、測定管１の内周面に付着した汚れ４を落とすメンテナンス時期を知ることができる。
【００６３】
なお、メンテナンス時に測定管１の内周面に付着した汚れ４を落とした場合には、その時の第１の汚れ検知用電極９−１と第２の汚れ検知用電極９−２との間の静電容量Ｃ１を新たな初期状態の静電容量とし、静電容量初期値記憶部１０−４内の初期値Ｃ１0を更新する。
【００６４】
以上の説明から分かるように、本実施の形態の電磁流量計１００（１００Ａ〜１００Ｄ）によれば、測定管１に光学窓を設ける必要がなく、簡単な構成で、かつ確実に、測定管１内の汚れ４を確認することができるようになる。
【００６５】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【００６６】
例えば、上述した実施の形態１〜３では、汚れ検知用電極５（５−１〜５−４）を平面視円形の電極としたが、測定管１の外周面に沿わせた円弧状の電極としてもよい。
【００６７】
また、上述した実施の形態３では、上流側の汚れ状態の評価指標ΔＣ１と下流側の汚れ状態の評価指標ΔＣ２との平均値を上下流間の汚れ状態の評価指標ΔＣａｖとしたが、ΔＣ１，ΔＣ２のうち何れか大きい方を上下流間の汚れ状態の評価指標ΔＣａｖとしてもよい。
【００６８】
また、上述した実施の形態１〜４では、汚れ状態の評価指標を初期値からの静電容量の変化量として求めたが、初期値からの静電容量の変化率として求めるなどしてもよい。また、静電容量そのものを評価指標とし、閾値と比較することによって汚れ状態を判定するようにしてもよい。
【符号の説明】
【００６９】
１…測定管、２…信号電極（計測用電極）、３…励磁コイル、４…汚れ、５…汚れ検知用電極、６…汚れモニタ装置、６−１…静電容量検出部、６−２…汚れ状態評価部、６−３…汚れ状態判定部、６−４…静電容量初期値記憶部、６−５…閾値記憶部、７…汚れモニタ装置、７−１…静電容量検出部、７−２…汚れ状態評価部、７−３…汚れ状態判定部、７−４…静電容量初期値記憶部、７−５…閾値記憶部、８…汚れモニタ装置、８−１…上流側の静電容量検出部、８−２…下流側の静電容量検出部、８−３…汚れ状態評価部、８−３１…上流側の汚れ状態評価指標算出部、８−３２…下流側の汚れ状態評価指標算出部、８−３３…上下流間の汚れ状態評価指標算出部、８−３４…上流側の静電容量初期値記憶部、８−３５…下流側の静電容量初期値記憶部、８−４…汚れ状態判定部、８−５…閾値記憶部、９…汚れ検知用電極、１０…汚れモニタ装置、１０−１…静電容量検出部、１０−２…汚れ状態評価部、１０−３…汚れ状態判定部、１０−４…静電容量初期値記憶部、１０−５…閾値記憶部、１００（１００Ａ〜１００Ｄ）…電磁流量計。
【図１】
2018163046.tif 000003
【図２】
2018163046.tif 000004
【図３】
2018163046.tif 000005
【図４】
2018163046.tif 000006
【図５Ａ】
2018163046.tif 000007
【図５Ｂ】
2018163046.tif 000008
【図６Ａ】
2018163046.tif 000009
【図６Ｂ】
2018163046.tif 000010
【図７Ａ】
2018163046.tif 000011
【図７Ｂ】
2018163046.tif 000012
【図８Ａ】
2018163046.tif 000013
【図８Ｂ】
2018163046.tif 000014
【図９】
2018163046.tif 000015